(57)【要約】      （修正有）【課題】熱中症予防対策として利用できる携帯用カードサイズでその場の温度がわかるとともにその温度が熱中症になりやすい危険域かを知ることができ、お年寄りにも見やすい液晶温度計付きカードを提供する。【解決手段】熱中症予防対策のためのポイント２が書かれているポストカード１である。表面に熱中症予防対策として目安となる温度の危険域が柔軟性を有する液晶温度計３の対応した発色部分のカード上の位置に数字により表示される。カードのサイズをハガキサイズにすることで情報量を増やした。【選択図】図１
0003185661.tif 000002
【実用新案登録請求の範囲】
【請求項１】
熱中症予防対策のためのポイントが書かれているカードであり、表面に熱中症予防対策として目安となる温度の危険域が柔軟性を有する液晶温度計の対応した発色部分のカード上の位置に数字により表示され、カードのサイズを郵送可能なハガキサイズ等にすることで情報量を増やした液晶温度計が組み込まれていることを特徴とする液晶温度計付きカード
【請求項２】
カードを郵送可能なハガキサイズで利用する他に、ハガキサイズの半分に切って持ち歩くかカードサイズに切って持ち歩くかなどサイズをはさみで自由にカスタマイズすることを特徴とする請求項１記載の液晶温度計付きカード。
【考案の詳細な説明】
【技術分野】
【０００１】
本考案は、熱中症予防対策に活用するために、液晶温度計で温度表示するとともに、発色した温度表示部分の位置の真下に熱中症にかかりやすい温度の危険域を表示することで危険を知らせるとともに、そのカードを郵送可能なハガキサイズ、手帳にはいるハガキのハーフサイズ、携帯しやすいクレジットカードサイズ等、はさみで切ることで自由にサイズを変えられることを特徴としたカードである。
【背景技術】
【０００２】
ここでいう液晶温度計とは、温度によって物質が固体←→液体←→気体（又は固相←→液相←→気相）に変わることを物質の３態と呼ばれている。ところが、液相は固相←→液相←→気相の３態の分類の他に固相と液相の間に、固体でもなく、液体でもない特異な状態を示す。この特異な状態を液層状態又は中間相と呼んでおり、液晶がこの中間相にあるときの状態は、物理的には液体と同様の流動性をもつ一方、光学的には固体結晶と同様の強い異方性をもっている。液晶が中間相をとるのは、ある温度条件下で棒状分子の結晶格子の秩序が失われて液状になるにも拘らず、分子の配向秩序は固体液晶と同様に維持されていることによる。この液晶状態と呼ぶ特異な状態が、一定の温度条件（融点の手前）のもとで現れる液晶をサーモトロピック（Ｔｈｅｒｍｏｔｒｏｐｉｃ＝熱親和型）液晶と呼び、この液晶はその分子配列の特徴によって、さらにスメクテック、ネマタック、コレステリックの各液晶に分けられ、温度センサーとして用いられるのはコレステリック液晶である。コレステリック液晶は、反射光の波長が可視光の時に赤、橙、黄、緑、青、藍、紫の７色の色彩を呈するが、実際には可視光の三原色、赤←→緑←→青が強く呈色される。液晶温度計として使用している液晶はこのコレステリックタイプの液晶である。
【先行技術文献】
【特許文献】
【０００３】
【特許文献１】実用新案登録第３１３３９６７号液晶温度計付きポスターこの実用新案は省エネルギー対策に関係したスローガンや図形等の表示が印刷されているポスターであって、このポスターの一部には表面側に柔軟性を有する液晶温度計が組み込まれていることを特徴とする。また、省エネルギー対策として必要な温度と暖房の目安となる上限と下限の温度が液晶温度計の対応したポスター上の位置に数字により表示されていることを特徴とする液晶温度計付きポスターである。「熱中症予防カードフリーカットタイプ」は熱中症予防対策を目的としたカードであり温度計の目安としている表示は熱中症になる温度の危険域である。
【特許文献２】実用新案登録第３１７８０８７号（弊社の登録）熱中症予防対策のためのポイントが書かれているカードであり、表面に熱中症予防対策として目安となる温度の危険域が柔軟性を有する液晶温度計の対応した発色部分のカード上の位置に数字により表示され、前記カードは熱中症予防対策の周知と配布方法に特徴を持つカードでありカードの裏に宛名を書いて郵送料分の切手を貼りポストに投函すれば送付することができるカードである。本考案の熱中症予防カードフリーカットタイプはカードのサイズを自由にカスタマイズできることに特徴を持つカードであり、ハガキサイズ、ハガキサイズの半分の手帳サイズ、クレジットカードサイズなどに切って利用できるカードである。
【非特許文献】
【０００４】
【非特許文献１】熱中症予防カードに液晶温度計を貼り付けたクレジットカードサイズのカードは弊社も販売しており、一般に市販されている。また、液晶温度計は貼り付けていないがはがきサイズの熱中症予防カードは環境省でも採用している。「熱中症予防カードフリーカットタイプ」は熱中症予防対策として重要な温度を知ることを目的としたカードでありなおかつ利用者が郵送したいときはポストカード、手帳にはさみたいときは手帳サイズ、胸ポケットやカード入れに入れたいときはカードサイズにできることに特徴のあるカードである。
【考案の概要】
【考案が解決しようとする課題】
【０００５】
熱中症予防対策の一つである「こまめに温度をチェック」し、なおかついつでも手軽に持ち歩くことができるカードのサイズにすること。しかし、郵送するならば封筒に入れて封緘し郵送料分の切手を貼ってポストに投函する必要があり、送付した後は封筒は廃棄するしかなかった。送付せずに配布するなら人の手を使って配るか取りに来てもらう必要があった。また、クレジットカードサイズなら小さいために使われない可能性もある。そのため、そのまま郵送できるとともに利用者が使いやすいように自由にカスタマイズできる必要がある。
【課題を解決するための手段】
【０００６】
・熱中症予防対策に活用できるためにはカードの表面部分に柔軟性を有する液晶温度計を貼り付けて温度の発色部分の位置のカードの液晶温度計の真下部分に熱中症になる温度の危険域を表示している。
・カードサイズを郵送可能なハガキサイズ等にすることで表面の液晶温度計を貼り付ける部分にも余裕ができ、従来のクレジットカードサイズの場合の液晶温度計のサイズ６ミリ×６２ミリから８ミリ×７２ミリなどに大きくすることができる。
・液晶温度計の対象温度を従来の２６度から４６度を２０度から４２度などにすることで熱中症にかかりにくい冬は暖房の目安として利用できる。
・カードの表面の上部２分の１のスペースに宛名を書いて郵送料分の切手を貼りポストに投函することで郵送による配布が可能になる。
・郵送した後に利用者がそのまま利用することも、ハーフサイズやカードサイズに切って持ち歩くこともできる。
・熱中症予防カードの利用者が使いやすいようにカスタマイズできる。
【考案の効果】
【０００７】
このカードを持ち歩けばどこにいてもその場所の温度を知ることができ、その温度が熱中症になりやすい危険域かを知ることができる。そのまま部屋に貼っておけばこまめに温度のチェックをすることができる。また、ハーフサイズやカードサイズに切っていつも携帯することができる。
【図面の簡単な説明】
【０００８】
【図１】本考案の一実施例を示す平面図の表面である。はがきサイズの上半分は広告のスペースにしたり、切手を貼って住所を書くことができる。表面の黒塗りの部分に液晶温度計を貼り付ける。はさみで切る位置がわかるようにしている。
【実施例】
【０００９】
自宅にいるときはいつでもそばに置いておく。温度設定を２０℃からにすることで熱中症にかかりにくい冬も暖房の目安として利用できるため一年中利用することができる。ハーフサイズやカードサイズに切っていつでも携帯することができる。
【符号の説明】
【００１０】
■黒塗りの部分が液晶温度計の貼り付け部分。液晶温度計のサイズは８ミリ×７２ミリ。温度は２０度から４２度で2度ごとの表示
0003185661.tif 000003
【手続補正書】
【提出日】平成25年5月24日(2013.5.24)
【手続補正１】
【補正対象書類名】実用新案登録請求の範囲
【補正対象項目名】全文
【補正方法】変更
【補正の内容】
【実用新案登録請求の範囲】
【請求項１】
熱中症予防対策のためのポイントが書かれているカードであり、表面に熱中症予防対策として目安となる温度の危険域が柔軟性を有する液晶温度計の対応した発色部分のカード上の位置に数字により表示され、カードのサイズを図のようにハガキサイズにすることで情報量を増やしたことを特徴とする液晶温度計付きカード。
【請求項２】
カードをハガキサイズで利用する他に、手帳に挟む場合は２つに折り曲げるか半分に切っても熱中症予防カードの機能は変わらず、ポケットや名札ホルダーに入れる場合はクレジットカードサイズに切っても熱中症予防カードの機能は変わらないことを特徴とする請求項１記載の液晶温度計付き熱中症予防カードフリーカットタイプ。
【手続補正２】
【補正対象書類名】図面
【補正対象項目名】全図
【補正方法】変更
【補正の内容】
0003185661.tif 000004
【手続補正書】
【提出日】平成25年6月28日(2013.6.28)
【手続補正１】
【補正対象書類名】実用新案登録請求の範囲
【補正対象項目名】全文
【補正方法】変更
【補正の内容】
【実用新案登録請求の範囲】
【請求項１】
熱中症予防対策のためのポイントが書かれているポストカードであり、表面に熱中症予防対策として目安となる温度の危険域が柔軟性を有する液晶温度計の対応した発色部分のカード上の位置に数字により表示され、カードのサイズをハガキサイズにすることで情報量を増やしたことを特徴とする液晶温度計付きカード。
【請求項２】
カードをハガキサイズにすることでそのまま郵送でき、送られた者が手帳に挟む場合は２つに折り曲げるか半分に切ると縦７５ｍｍ横１００ｍｍのカードに、ポケットや名札ホルダーに入れる場合はクレジットカードサイズに切ると縦５５ｍｍ横８５ｍｍのカードになることを特徴とする請求項１記載の液晶温度計付きカード。
【手続補正３】
【補正対象書類名】明細書
【補正対象項目名】０００８
【補正方法】変更
【補正の内容】
【０００８】
【図１】本考案の一実施例を示す平面図の表面である。ハガキサイズの上半分は広告のスペースにしたり、切手を貼って住所を書くことができる。
【図２】本考案の一実施例を示す平面図の表面である。縦７５ｍｍ横１００ｍｍのカードサイズにした場合は熱中症予防のポイントの説明を含む。
【図３】本考案の一実施例を示す平面図の表面である。縦５５ｍｍ横８５ｍｍのカードサイズにした場合は熱中症予防のポイントを絵で表示する。
【手続補正４】
【補正対象書類名】明細書
【補正対象項目名】００１０
【補正方法】変更
【補正の内容】
【００１０】
【図１】１．はポストカード、２．は熱中症予防のポイント表示、３．は液晶温度計である。
【図２】１．は熱中症予防のポイント表示、２．は液晶温度計である。
【図３】１．は熱中症予防のポイント表示、２．は液晶温度計である。
【手続補正５】
【補正対象書類名】図面
【補正対象項目名】全図
【補正方法】変更
【補正の内容】
【図１】
0003185661.tif 000005
【図２】
0003185661.tif 000006
【図３】
0003185661.tif 000007